(57)【要約】【課題】クリスタルガラス等の透明或は半透明材料内部にレーザー加工を施して各種の用途に適用するようにした記念品或はその他のディスプレイ等の、裏面を黒色或は暗色に処理した置物において、光源を持つ装飾用スタンドを必要としなく、レーザー加工された画像の判別性を良くする形状の置物を提供すること。【解決手段】クリスタルガラス等の透明或は半透明材料内部にレーザー加工を施したディスプレイ等で、裏面を黒色或は暗色にして、裏面から正面に向かって広がるように形成された傾斜した側面及び天面を持つことを特徴とする置物。【選択図】図６
2011110928.tif 000002
【特許請求の範囲】
【請求項１】
クリスタルガラス等の透明或は半透明材料内部にレーザー加工を施して各種の用途に適用するようにした記念品或はその他のディスプレイ等の、裏面を黒色或は暗色に処理した置物において、裏面から正面に向かって広がるように形成された傾斜した側面及び天面を持つことを特徴とする置物。
【発明の詳細な説明】
【技術分野】
【０００１】この考案は、クリスタルガラス等の透明或は半透明材料内部にレーザーによる加工を施して各種の用途に適用するようにした記念品或はその他のディスプレイ等の置物に関する。
【背景技術】
【０００２】レーザーにより、クリスタルガラス等の透明或は半透明材料内部へ加工する方法について、以下代表の材料としてクリスタルガラスについて説明すると、特許公開２００８−１８３６１６に詳細が記されている通り、図１に示すように、レーザー発生装置（２）、Ｘ−Ｙ−Ｚ位置制御（３）、電子制御（４）、ソフトウェア（５）から成る。
ソフトウェア（５）にて、画像情報をレーザー加工情報に変換し、レーザー発生装置（２）にて発生したレーザー光（６）が、Ｘ−Ｙ−Ｚ位置制御（３）にて制御されたクリスタルガラス（１）内の所望の位置で焦点を結ぶことにより、クリスタルガラス（１）内部に非線形吸収現象を引き起こし、その結果、微細なクラックが綿密で局地的な点状に生成される。この点状クラックの集合で、画像（１ａ）が形成される。【０００３】このようにして生成された画像（１ａ）を、クリスタルガラス（１）等の透明或は半透明材料を通して見ることができ、装飾品或は置物として広く知られている。
【発明の概要】
【発明が解決しようとする課題】
【０００４】ところで、図２に示す通り、生成された画像（１ａ）はクリスタルガラス（１）を通して見ることになるが、同時に、画像（１ａ）の周囲の光（７）、すなわちクリスタルガラス（１）の外部から入射した光（７ａ）、或はクリスタルガラス（１）の境界で反射した光（７ｂ）を同時に見ることになり、画像（１ａ）が判別しづらいという問題がある。特に、画像（１ａ）をより写実的に表現する場合は、グレートーンが重要な役割を果たす為、画像（１ａ）の階調度を上げる必要があるが、例えば、太陽光の下に置いた場合など、周囲の光（７）が明るいと画像（１ａ）の階調が得られず、見えにくくなるばかりか、写実的な表現ができないという問題がある。
そこで、クリスタルガラス（１）を見えやすく展示演出する場合は、一つの方法として置き台及び背後を暗色の布等で覆う等の工夫がされている。クリスタルガラス（１）を見えやすく展示演出する他の方法としては、図３に示す通り、クリスタルガラス（１）の裏面（１ｄ）に黒色或は暗色の部材を接着するか、或は、裏面（１ｄ）を印刷、塗装等により暗くした背景面（８）として、裏面（１ｄ）からの入射光を遮断して画像（１ａ）とのコントラストを上げる工夫がされている。この場合、クリスタルガラス（１）は直方体の形状のものが一般的である。また、特開２００３−１１５９８のように光源を持つ装飾用スタンドの上に据付けて、画像を照らし出して判別を容易にする等の工夫がされている。【０００５】ところが、置き台及び背後を暗色の布等で覆う場合は、展示場所を選ぶ必要があり、容易に展示できない為、不便である。また、背景面（８）を暗くした場合は、クリスタルガラス（１）を真上から見たところの、図４に示す通り、水平方向において、画像（１ａ）を照らす為の外部から入射した光（７ａ）のクリスタルガラス（１）への入射範囲（ｅ）は概ね全周の３／４となる。同様に、図５に示す通り、クリスタルガラス（１）を真横から見たところの垂直方向において、画像（１ａ）を照らす為の外部から入射した光（７ａ）のクリスタルガラス（１）への入射範囲（ｅ）は、置き台（９）と背景面（８）により範囲が限定される為、概ね全周の１／２となり画像（１ａ）自体も暗くなるという問題がある。また、光源を持つ装飾用スタンドの上に据付けた場合は、常に光源の為のエネルギーが必要であり、継続的に鑑賞するには不便である。【０００６】これらの問題を鑑み、請求項１に係る考案は、展示場所を選ばず、また光源を持つ装飾用スタンドを必要としなく、クリスタルガラス（１）内部にレーザー加工された画像（１ａ）の判別性を良くする形状の置物を提供することを課題とする。
【課題を解決するための手段】
【０００７】上記の課題を解決するために、請求項１に係る考案は、クリスタルガラス（１）等の透明或は半透明材料内部にレーザー加工を施したディスプレイ等で、裏面（１ｄ）を黒色或は暗色にして、裏面（１ｄ）から正面（１ｃ）に向かって広がるように形成された傾斜した側面（１ｅ）及び天面（１ｆ）を持つことを特徴とする置物を提供する。
【発明の効果】
【０００８】クリスタルガラス（１）等の透明或は半透明材料内部にレーザー加工を施したディスプレイ等において、裏面（１ｄ）を黒色或は暗色にして、側面（１ｅ）及び天面（１ｆ）を裏面（１ｄ）から正面（１ｃ）に向かって広がるように形成することにより、直方体の置物に比べ多くの外光を取り入れることができる為、画像（１ａ）をより明るく見せることができる。また、画像（１ａ）の周囲は黒色或は暗色に見える為、階調度が上がり、画像（１ａ）をより判別しやすくなると共に、画像（１ａ）をより写実的に表現することができ、より現実感のある表現が可能になる。
さらに、正面（１ｃ）から見ると、正面（１ｃ）の外周部分は背景面（８）の黒色或は暗色が側面（１ｅ）、天面（１ｆ）及び底面（１ｂ）で反射して、あたかも額縁のように見える為、演出効果を発揮できる。さらに、多くの外光とコントラストが得られる為、置き台及び背後を暗色の布等で覆うこと等は必要としなく、すなわち場所を選ばず例えば太陽光の下でも十分な演出が可能である。
また、エネルギーが必要な光源を持つ装飾用スタンド等を使用することなく、画像（１ａ）を鮮明に演出することができる。
【図面の簡単な説明】
【０００９】
【図１】レーザー加工装置の構成図である。
【図２】画像をクリスタルガラスを通して見る説明図である。
【図３】クリスタルガラスの裏面を暗くした説明図である。
【図４】直方体クリスタルガラスの平面図である。
【図５】直方体クリスタルガラスの側面図である。
【図６】本考案のクリスタルガラスの斜視図である。
【図７】本考案のクリスタルガラスの平面図である。
【図８】本考案のクリスタルガラスの側面図である。
【図９】本考案のクリスタルガラスを正面から見た説明図である。
【符号の説明】１    クリスタルガラス
１ａ  画像
１ｂ  底面
１ｃ  正面
１ｄ  裏面
１ｅ  側面
１ｆ  天面
２    レーザー発生装置
３    Ｘ−Ｙ−Ｚ位置制御
４    電子制御
５    ソフトウェア
６    レーザー光
７    周囲の光
７ａ  入射した光
７ｂ  反射した光
８    背景面
９    置き台
ｅ    入射範囲
【発明を実施するための形態】
【実施例】
【００１０】実施例について図を参照にして説明すると、図６に示す通り、クリスタルガラス（１）において、裏面（１ｄ）に黒色の部材をＵＶ接着して暗色にした背景面（８）を形成して、側面（１ｅ）及び、天面（１ｆ）を裏面（１ｄ）から正面（１ｃ）に向かって広がるように傾斜させて形成する。クリスタルガラス（１）を真上から見たところの、図７に示す通り、水平方向において、この形成により、裏面（１ｄ）が狭くなることから、画像（１ａ）を照らす外部から入射した光（７ａ）のクリスタルガラス（１）への入射範囲（ｅ）が広がる。同様に、クリスタルガラス（１）を真横から見たところの垂直方向において、図８に示す通り、天面（１ｆ）を裏面（１ｄ）から正面（１ｃ）に向かって広がるように傾斜させて形成する。従って、水平方向、垂直方向、共に、画像（１ａ）をより明るく照らすことができる。
本考案では、裏面（１ｄ）に黒色の部材をＵＶ接着して暗色の背景面（８）を形成したが、裏面（１ｄ）に暗色の印刷、塗装等を施して暗くした背景面（８）を形成しても良い。
ここで、側面（１ｅ）及び、天面（１ｆ）を裏面（１ｄ）から正面（１ｃ）に向かって広がるように傾斜させて形成することにより、クリスタルガラス（１）を正面（１ｃ）から見たところの、図９に示す通り、正面（１ｃ）の外周部分は背景面（８）の黒色或は暗色が側面（１ｅ）、天面（１ｆ）及び底面（１ｂ）で反射して、あたかも額縁のように見える為、画像（１ａ）を効果的に演出することができる。
【図１】
2011110928.tif 000003
【図２】
2011110928.tif 000004
【図３】
2011110928.tif 000005
【図４】
2011110928.tif 000006
【図５】
2011110928.tif 000007
【図６】
2011110928.tif 000008
【図７】
2011110928.tif 000009
【図８】
2011110928.tif 000010
【図９】
2011110928.tif 000011